(57)【要約】 【課題】  新たな通信網を構築する必要がなく、情報を伝達するにあたって、時間がかからない通信システムおよびこの通信システムに用いられる情報取得用通信装置を提供する。【解決手段】  情報取得用通信装置３〜６および複数の情報提供用通信装置１１〜２０が、公衆回線網２に接続され、この公衆回線網２を介して相互に通信可能に設けられる。公衆回線網２の交換機３３は、図２に示すように、発呼後で、かつ、この発呼に対する応答によって呼が確立される前に発信者識別情報を送出する。情報提供サーバ２１は、提供すべき情報に応じて情報提供用通信装置１１〜２０を選択し、選択した情報提供用通信装置１１〜２０によって、情報取得用通信装置３〜６に対して発呼させる。発呼を受けた公衆回線網２は、その発呼について呼が確立される前に、発信者識別情報を送出する。この発信者識別情報を、情報取得用通信装置３〜６によって取得する。【選択図】      図１
2006352452.tif 000002
【特許請求の範囲】
【請求項１】
発呼後で、かつ、この発呼に対する応答によって呼が確立される前に発信者識別情報を送出する送出部を含む通信網に接続され、前記通信網から発信者識別情報を取得する情報取得用通信装置と、
前記通信網に接続され、前記通信網を介して情報取得用通信装置と通信可能な複数の情報提供用通信装置と、
提供すべき情報に応じて情報提供用通信装置を選択し、選択した情報提供用通信装置によって、情報取得用通信装置に対して発呼させる情報提供用制御装置とを含むことを特徴とする通信システム。
【請求項２】
前記通信網は、公衆回線網および携帯電話網のうち少なくとも一方であることを特徴とする請求項１記載の通信システム。
【請求項３】
請求項１記載の通信システムに用いられる情報取得用通信装置であって、
各情報提供用通信装置の識別情報を記憶する記憶手段と、
前記通信網から発信者識別情報を取得する取得手段と、
取得手段によって取得した発信者識別情報が、記憶手段によって記憶される各情報提供用通信装置の識別情報のいずれかと一致するとき、一致した情報提供用通信装置の識別情報に応じた動作を実行する制御手段とを含むことを特徴とする情報取得用通信装置。
【請求項４】
情報を報知する報知手段をさらに含み、
前記制御手段は、取得手段によって取得した発信者識別情報が、記憶手段によって記憶される各情報提供用通信装置の識別情報のいずれかと一致するとき、一致した情報提供用通信装置の識別情報に応じた情報を、報知手段によって報知させることを特徴とする請求項３記載の情報取得用通信装置。
【請求項５】
前記制御手段は、
取得手段によって取得した発信者識別情報が、記憶手段によって記憶される各情報提供用通信装置の識別情報のいずれにも一致しないとき、呼の確立のための動作を実行可能な第１状態となり、
取得手段によって取得した発信者識別情報が、記憶手段によって記憶される各情報提供用通信装置の識別情報のいずれかと一致するとき、呼の確立のための動作の実行を禁止する第２状態となることを特徴とする請求項３または４記載の情報取得用通信装置。
【発明の詳細な説明】
【技術分野】
【０００１】
本発明は、公衆回線網および携帯電話網などの通信網に接続され、相互に通信可能な複数の通信装置を含んで構成される通信システムに関する。また本発明は、前記通信システムに用いられる通信装置である情報取得用通信装置に関する。
【背景技術】
【０００２】
電話装置およびファクシミリ装置などの通信装置は、公衆回線網（Public Switched
Telephone Network、略称ＰＳＴＮ）に接続される。これらの通信装置は、汎用性の高い通信手段として利用されている。特に、電話装置は、簡便な通信手段であり、その普及率は極めて高い。また、ＰＤＣ（Personal Digital Cellular）およびＰＨＳ(Personal
Handy phone System)などの携帯型の通信装置は、携帯電話網に接続される。これらの携帯型の通信装置は、その利便性から、急速な普及を果たしている。
【０００３】
前述の通信装置を含んで構成される通信システムに関する技術であって、天気予報などの情報を伝達するための通信システムに関する技術として、後述の第１〜第３の従来技術がある。
【０００４】
第１の従来技術は、特許文献１に開示される。この従来技術では、気象情報提供装置が、気象予測結果に基づいたファックス気象情報データを生成する。気象情報提供装置は、前記ファックス気象情報データを、電話回線を通じて、利用者のファクシミリ装置に送信する。
【０００５】
このような第１の従来技術では、呼が確立された状態、すなわち気象情報提供装置と利用者のファクリミリ装置とが接続された状態で、ファックス気象情報データが送信される。したがってファックス気象情報データの送信にあたって、時間がかかる。特に、ファクス気象情報データを、多数のファクシミリ装置に順次、送信する必要がある場合、前述のように送信に時間がかかる第１の従来技術では、送信の順番が後になるほど、送信の遅れが顕著になるという問題がある。
【０００６】
第２の従来技術は、特許文献２に開示される。この従来技術は、前記第１の従来技術に類似する。この従来技術では、センタが、得られた天気予報情報を、ファクシミリ信号に変換して、ファクシミリ装置からファクシミリ端末へ送信する。
【０００７】
このような第２の従来技術では、呼が確立された状態、すなわちファクシミリ装置とファクシミリ端末とが接続された状態で、天気予報情報が送信される。したがって前記第１の従来技術と同様の問題がある。
【０００８】
第３の従来技術は、特許文献３に開示される。この従来技術では、携帯電話網の基地局が、受け持っている基地局エリアの最新の天気情報を保有する。基地局は、基地局エリアに移動機が入ってきて位置登録処理を行う際に、天気情報も合わせて移動機に通知する。
【０００９】
このような第３の従来技術では、位置登録処理の際に天気情報を通知するので、前記第１および第２の従来技術の問題を解決することができる。第３の従来技術では、前記第１および第２の従来技術の問題を解決することができるけれども、位置登録処理の際に天気情報を通知するために、既存の携帯電話網を変更して、新たな通信網を構築する必要があるという問題がある。
【００１０】
また、通信装置に関する技術として、後述の第４および第５の従来技術がある。
【００１１】
第４の従来技術は、特許文献４に開示される。この従来技術では、テレビジョン受像機が、電話回線を介して、発信電話番号通知機能を有する電話回線網に接続される。テレビジョン受像機は、発信電話番号通知機能側から送信されてくる情報に基づいて、情報の内容を画面に表示する。
【００１２】
第５の従来技術は、特許文献５に開示される。この従来技術では、通信端末装置が、交換機から送出されて来る発信元情報を検出する。通信端末装置は、検出した発信元情報が予め登録した発信元情報と一致したときに、回線の接続を切断して呼出信号を受けないようにした後、検出した発信元情報に対応して予め登録された処理を実行する。
【００１３】
これらの第４および第５の従来技術は、天気予報などの情報を伝達するための通信システムに用いられることを想定した技術ではない。このような第４および第５の従来技術が前記通信システムに用いられても、第１〜第３の従来技術の問題を解決することができない。
【００１４】
【特許文献１】特開平１０−３３２８４０号公報
【特許文献２】特開２００２−１１８７０３号公報
【特許文献３】特開２００３−１８９３６３号公報
【特許文献４】特開平９−１９１３４０号公報
【特許文献５】特開平１１−２９８６２７号公報
【発明の開示】
【発明が解決しようとする課題】
【００１５】
本発明の目的は、新たな通信網を構築する必要がなく、情報を伝達するにあたって、時間がかからない通信システムおよびこの通信システムに用いられる情報取得用通信装置を提供することである。
【課題を解決するための手段】
【００１６】
本発明は、発呼後で、かつ、この発呼に対する応答によって呼が確立される前に発信者識別情報を送出する送出部を含む通信網に接続され、前記通信網から発信者識別情報を取得する情報取得用通信装置と、
前記通信網に接続され、前記通信網を介して情報取得用通信装置と通信可能な複数の情報提供用通信装置と、
提供すべき情報に応じて情報提供用通信装置を選択し、選択した情報提供用通信装置によって、情報取得用通信装置に対して発呼させる情報提供用制御装置とを含むことを特徴とする通信システムである。
【００１７】
また本発明は、前記通信網は、公衆回線網および携帯電話網のうち少なくとも一方であることを特徴とする。
【００１８】
また本発明は、前記通信システムに用いられる情報取得用通信装置であって、
各情報提供用通信装置の識別情報を記憶する記憶手段と、
前記通信網から発信者識別情報を取得する取得手段と、
取得手段によって取得した発信者識別情報が、記憶手段によって記憶される各情報提供用通信装置の識別情報のいずれかと一致するとき、一致した情報提供用通信装置の識別情報に応じた動作を実行する制御手段とを含むことを特徴とする情報取得用通信装置である。
【００１９】
また本発明は、情報を報知する報知手段をさらに含み、
前記制御手段は、取得手段によって取得した発信者識別情報が、記憶手段によって記憶される各情報提供用通信装置の識別情報のいずれかと一致するとき、一致した情報提供用通信装置の識別情報に応じた情報を、報知手段によって報知させることを特徴とする。
【００２０】
また本発明は、前記制御手段は、
取得手段によって取得した発信者識別情報が、記憶手段によって記憶される各情報提供用通信装置の識別情報のいずれにも一致しないとき、呼の確立のための動作を実行可能な第１状態となり、
取得手段によって取得した発信者識別情報が、記憶手段によって記憶される各情報提供用通信装置の識別情報のいずれかと一致するとき、呼の確立のための動作の実行を禁止する第２状態となることを特徴とする。
【発明の効果】
【００２１】
本発明によれば、情報取得用通信装置および複数の情報提供用通信装置が、通信網に接続され、この通信網を介して相互に通信可能に設けられる。前記通信網は、発呼後で、かつ、この発呼に対する応答によって呼が確立される前に発信者識別情報を送出する送出部を含む。
【００２２】
情報提供用制御装置は、提供すべき情報に応じて情報提供用通信装置を選択し、選択した情報提供用通信装置によって、情報取得用通信装置に対して発呼させる。発呼を受けた前記通信網の送出部は、その発呼について呼が確立される前に、発信者識別情報を送出する。この発信者識別情報を、情報取得用通信装置によって取得する。
【００２３】
したがって呼の確立がなくても、前記提供すべき情報を、情報取得用通信装置によって把握することができる。換言すれば、呼の確立がなくても、前記提供すべき情報を、情報提供用通信装置から情報取得用通信装置に伝達することができる。
【００２４】
このように呼の確立がなくても、前記提供すべき情報を伝達することができるので、前記提供すべき情報の伝達に要する時間を短縮することができる。また呼の確立がなくても、前記提供すべき情報を伝達することができるので、結果として通信料なしで、前記提供すべき情報を伝達することができ、情報提供者および情報取得者の双方にとって経済的である。
【００２５】
このような本発明は、発呼後で、かつ、この発呼に対する応答によって呼が確立される前に発信者識別情報を送出するという通信網のサービスを利用して実現される。前記サービスは既存である。したがって新たな通信網を構築する必要がなく、設備投資などに要するコストを抑えることができる。
【００２６】
また本発明によれば、公衆回線網および携帯電話網のうち少なくとも一方によって通信網が実現される。公衆回線網および携帯電話網は、既存の通信網である。したがって新たな通信網を構築する必要がなく、設備投資などに要するコストを抑えることができる。
【００２７】
また本発明によれば、記憶手段は、各情報提供用通信装置の識別情報を記憶する。取得手段は、前記通信網から発信者識別情報を取得する。制御手段は、取得手段によって取得した発信者識別情報が、記憶手段によって記憶される各情報提供用通信装置の識別情報のいずれかと一致するとき、一致した情報提供用通信装置の識別情報に応じた動作を実行する。これらの各手段を含む情報取得用通信装置が前述の通信システムに用いられることによって、前記提供すべき情報に応じた動作を、制御手段によって実行することができる。したがって利便性を向上させることができる。
【００２８】
また本発明によれば、情報を報知する報知手段が設けられ、制御手段は、取得手段によって取得した発信者識別情報が、記憶手段によって記憶される各情報提供用通信装置の識別情報のいずれかと一致するとき、一致した情報提供用通信装置の識別情報に応じた情報を、報知手段によって報知させる。このような情報取得用通信装置が前述の通信システムに用いられることによって、前記提供すべき情報に応じた情報を、報知手段によって報知することができる。したがって情報取得者に情報を提供するためのシステムとして好適に用いることができる。
【００２９】
また本発明によれば、制御手段は、取得手段によって取得した発信者識別情報が、記憶手段によって記憶される各情報提供用通信装置の識別情報のいずれにも一致しないとき、第１状態となり、取得手段によって取得した発信者識別情報が、記憶手段によって記憶される各情報提供用通信装置の識別情報のいずれかと一致するとき、第２状態となる。
【００３０】
第１状態では、呼の確立のための動作を実行可能である。前記いずれにも一致しないときは、呼の確立が可能であり、呼を確立して通信することができる。したがって本発明の情報取得用通信装置は、前記提供すべき情報の取得以外に、呼を確立したうえでの通信にも用いることができ、汎用性を向上させることができる。
【００３１】
第２状態では、呼の確立のための動作の実行を禁止する。前記いずれかに一致するときは、不所望な呼の確立が防がれる。したがって通信料の発生を防ぐことができる。
【発明を実施するための最良の形態】
【００３２】
図１は、本発明の実施の一形態の通信システム１の構成を模式的に示す図である。本実施の形態の通信システム１は、通信網である公衆回線網（Public Switched Telephone
Network、略称ＰＳＴＮ）２を利用して、情報を伝達する通信システムである。この通信システム１は、情報の伝達にあたって、公衆回線網２の発信者番号通知サービスを利用する。
【００３３】
本実施の形態において、発信者番号通知サービスとは、発信者識別情報（Caller
Identification code、略称ＣＩＤ）を、着呼側の通信装置に通知するサービスをいう。発信者識別情報は、発信者ＩＤ、あるいはコーラＩＤとも呼ばれる。発信者番号通知サービスでは、発信者識別情報として、発呼側の通信装置の識別番号（以下「発信者番号」と記載する）を示す情報、あるいは発信者番号通知を禁止する旨を示す情報が、着呼側の通信装置に通知される。
【００３４】
本実施の形態の通信システム１は、情報取得用通信装置３〜６と、複数の情報提供用通信装置１１〜２０と、情報提供用制御装置である情報提供サーバ２１とを含む。図１では、２つのファクシミリ装置３，４および２つの電話装置５，６が、情報取得用通信装置３〜６として通信システム１に含まれる。また図１では、１０個の情報提供用通信装置１１〜２０が通信システム１に含まれる。以下、２つのファクシミリ装置３，４および２つの電話装置５，６を総称して、情報取得用通信装置３〜６と記載する場合がある。
【００３５】
情報取得用通信装置３〜６は、公衆回線網２に接続される。情報取得用通信装置３〜６は、公衆回線網２を介して他の通信装置と通信可能に構成される。情報取得用通信装置３〜６は、公衆回線網２から発信者識別情報を取得する。
【００３６】
情報提供用通信装置１１〜２０は、公衆回線網２に接続される。情報提供用通信装置１１〜２０は、公衆回線網２を介して他の通信装置と通信可能に構成される。情報提供用通信装置１１〜２０は、情報提供サーバ２１によって制御される。
【００３７】
情報提供サーバ２１は、情報提供用通信装置１１〜２０を制御する。情報提供サーバ２１は、提供すべき情報に応じて情報提供用通信装置１１〜２０を選択し、選択した情報提供用通信装置１１〜２０によって、情報取得用通信装置３〜６に対して発呼させる。
【００３８】
表１は、各ファクシミリ装置３，４および各電話装置５，６ならびに各情報提供用通信装置１１〜２０の識別番号の一例を示す。各装置３〜６，１１〜２０には、たとえば表１に示すように、識別番号がそれぞれ付与されている。識別番号は、各装置３〜６，１１〜２０を識別するための識別情報であり、具体的には電話番号あるいはファクシミリ番号である。
【００３９】
本実施の形態では、各情報提供用通信装置１１〜２０の識別番号は、１０桁の番号である。各情報提供用通信装置１１〜２０の識別番号は、１０桁のうち、上９桁が同一であり、下１桁が異なる。
【００４０】
【表１】
2006352452.tif 000003
【００４１】
図２は、呼が確立されるまでの流れの一例を説明するためのシーケンス図である。以下、発呼側の通信装置を「発呼側装置」と記載し、着呼側の通信装置を「着呼側装置」と記載する。公衆回線網２は、送出部である交換機３３を含む。交換機３３は、発呼後で、かつ、この発呼に対する応答によって呼が確立される前に発信者識別情報を送出する。
【００４２】
発呼側装置３１は、オフフックされると、発呼信号３４を交換機３３に送信する。交換機３３は、発呼側装置３１から発呼信号３４を受信すると、発信音３５を発呼側装置３１に送信する。発呼側装置３１は、交換機３３から発信音３５を受信すると、この発信音３５を可聴音として出力する。このときに発呼側装置３１は、通信相手を選択する選択信号３６を交換機３３に送信する。選択信号は、ＤＴＭＦ（Dual Tone Multiple Frequency）信号あるいはパルス信号である。本実施の形態では、交換機３３に発呼信号３４を送信し、かつ、交換機３３に選択信号３６を送信することを、発呼するという。
【００４３】
交換機３３は、発呼側装置３１から選択信号３６を受信すると、通信相手として選択された着呼側装置３２との間の回線の極性を反転する。そして交換機３３は、起動信号３８を着呼側装置３２に送信する。着呼側装置３２は、交換機３３から起動信号３８を受信すると、一次応答信号３９を交換機３３に送信する。交換機３３は、着呼側装置３２から一次応答信号３９を受信すると、発信者識別情報４０を着呼側装置３２に送信する。着呼側装置３２は、交換機３３から発信者識別情報４０を受信すると、この発信者識別情報４０に基づく画像を表示するとともに、受信完了信号４１を交換機３３に送信する。本実施の形態では、交換機３３から発信者識別情報４０を受信することを、公衆回線網２から発信者識別情報４０を取得するという。
【００４４】
交換機３３は、着呼側装置３２から受信完了信号４１を受信すると、着呼側装置３２に呼出信号４２を送信するとともに、発呼側装置３１に呼出音４３を送信する。着呼側装置３２は、交換機３３から呼出信号４２を受信すると、着信音を可聴音として出力し、発呼側装置３１は、交換機３３から呼出音４３を受信すると、この呼出音４３を可聴音として出力する。このときに着呼側装置３２は、オフフックされると、二次応答信号４４を交換機３３に送信する。本実施の形態では、二次応答信号４４の送信することを、発呼に対する応答という。
【００４５】
交換機３３は、着呼側装置３２から二次応答信号４４を受信すると、着呼側装置３２との間の回線の極性を復帰するとともに、発呼側装置３１との間の回線の極性を反転する。そして交換機３３は、発呼側装置３１との間の回線と、着呼側装置３２との間の回線とを接続する。これによって発呼側装置３１と着呼側装置３２とが接続され、発呼側装置３１と着呼側装置３２との間で通信することができる。本実施の形態では、発呼側装置３１と着呼側装置３２とが接続された状態を、呼の確立という。
【００４６】
発呼側装置３１では、自己の識別番号について、通知および非通知を任意に選択可能である。具体的には、発呼側装置３１では、発信者番号通知（Calling Line
Identification Presentation、略称ＣＬＩＰ）および発信者番号通知制限（Calling
Line Identification Restriction、略称ＣＬＩＲ）のいずれか一方を設定可能である。発信者番号通知が設定されているとき、着呼側装置３２には、発信者識別情報４０として、発信者番号を示す情報が与えられる。発信者番号通知制限が設定されているとき、着呼側装置３２には、発信者識別情報４０として、発信者番号通知を禁止する旨を示す情報が与えられる。
【００４７】
本実施の形態では、情報提供用通信装置１１〜２０が発呼側装置３１となり、情報取得用通信装置３〜６が着呼側装置３２となる。情報提供用通信装置１１〜２０では、発信者番号通知を設定している。
【００４８】
図３は、ファクシミリ装置３，４の構成を示すブロック図である。ファクシミリ装置３，４と電話装置５，６との大きな違いは、印刷装置５８および画像読取装置５９を含むか否かであり、その他は、基本的に類似する。ここでは、ファクシミリ装置３，４の構成についてだけ説明し、電話装置５，６の構成については説明を省略する。
【００４９】
ファクシミリ装置３，４は、網制御装置５１と、モデム５２と、スピーカ５３と、送受話器５４と、スピーチ回路５５と、表示装置５６と、入力装置５７と、印刷装置５８と、画像読取装置５９と、ＲＯＭ（Read Only Memory）６０と、メモリ装置６１と、制御装置６２とを含む。
【００５０】
網制御装置５１は、公衆回線網２が要求する電気的特性を有する。網制御装置５１は、公衆回線網２への接続および接続解除を制御し、他の通信装置との通信の開始および終了を制御する。網制御装置５１は、公衆回線網２の状態を監視する。網制御装置５１は、公衆回線網２を介して信号を送受信する。
【００５１】
モデム５２は、信号を変復調する。モデム５２は、画像データをファクシミリデータとして送信するために、前記画像データを、デジタル信号からアナログ信号に変調する。またモデム５２は、ファクシミリデータとして受信した画像データを、アナログ信号からデジタル信号に復調する。さらにモデム５２は、公衆回線網２からの発信者識別情報を、アナログ信号からデジタル信号に復調する。
【００５２】
スピーカ５３は、制御装置６２の指令に基づいて鳴動する。スピーカ５３は、たとえば着信音を可聴音として出力する。
【００５３】
送受話器５４は、音声を入力するとともに、音声を出力する。送受話器５４は、入力される音声を音声信号に変換して、この音声信号をスピーチ回路５５に与える。また送受話器５４は、スピーチ回路５５からの音声信号を音声に変換して、この音声を出力する。
【００５４】
スピーチ回路５５は、通話機能を有する。スピーチ回路５５は、網制御装置５１からの信号を、送受話器５４から音声として出力可能な音声信号に変換して、この音声信号を送受話器５４に与える。またスピーチ回路５５は、送受話器５４からの音声信号を、網制御装置５１から送信可能な信号に変換して、この信号を網制御装置５１に与える。
【００５５】
表示装置５６は、液晶パネルなどによって構成される。表示装置５６は、制御装置６２の指令に基づいて、画像を表示する。表示装置５６は、たとえば発信者識別情報に基づく画像を表示する。
【００５６】
入力装置５７は、ダイヤルキーなどの操作キーによって構成される。入力装置５７は、ユーザによる操作キーの操作に応じた情報を、制御装置６２に与える。
【００５７】
印刷装置５８は、画像データに基づく画像を、記録紙などの記録媒体に印刷する。印刷装置５８は、たとえば網制御装置５１によってファクシミリ受信された画像データに基づく画像、前記提供すべき情報に応じた画像、および画像読取装置５９によって読み取られた画像データに基づく画像を、記録紙などの記録媒体に印刷する。印刷装置５８では、記録方式として、サーマル方式、電子写真方式およびインクジェット方式などが採用される。
【００５８】
画像読取装置５９は、ファクシミリ送信しようとする原稿や、複写しようとする原稿を読み取り、画像データとして出力する。画像読取装置５９には、レンズとＣＣＤ（Charge
Coupled Device）ラインセンサとの組み合わせによる縮小光学系読取方式、およびロッドレンズアレーを用いた密着センサ方式などが採用される。
【００５９】
ＲＯＭ６０は、予め定める制御プログラムを記憶する。メモリ装置６１は、汎用メモリ部６３と情報識別子判別テーブル部６４とによって構成される。汎用メモリ部６３は、各種データの保存および一時記憶などに用いられる。情報識別子判別テーブル部６４（後述の図４参照）は、情報識別子判別テーブルの保存に用いられる。
【００６０】
汎用メモリ部６３には、画像データ、設定情報およびプログラムなどが記憶される。設定情報は、たとえば、（ａ）発信者番号通知制限が設定されていてもファクシミリ受信を実行するか否かを示す情報、（ｂ）ブラックリストを示す情報、などである。
【００６１】
ブラックリストは、たとえば、いわゆるジャンクファックスを受信拒否するためのリストである。ジャンクファックスとは、不特定多数を対象として送信される広告などのファックスであって、ユーザが受信を望まないファックスをいう。ブラックリストは、たとえば、ジャンクファックスの送信元の識別番号についてのリストである。
【００６２】
制御装置６２は、中央演算処理装置（Central Processing Unit、略称ＣＰＵ）によって構成される。制御装置６２は、ＲＯＭ６０によって記憶される制御プログラムを実行することによって、前述の各構成の動作を決定するとともに、各構成に指令を与える。制御装置６２は、たとえば、表示装置５６に対して表示の指令を与える。各構成の動作の決定には、ＲＯＭ６０およびメモリ装置６１に記憶される情報、入力装置５７からの情報、各構成の状態を示す情報、および公衆回線網２からの情報などが参照される。
【００６３】
本実施の形態では、情報識別子判別テーブル部６４によって、各情報提供用通信装置１１〜２０の識別情報を記憶する記憶手段が構成される。また、網制御装置５１およびモデム５２によって、公衆回線網２から発信者識別情報を取得する取得手段が構成される。また、スピーカ５３、表示装置５６および印刷装置５８のうち少なくとも１つによって、情報を報知する報知手段が構成される。また、制御装置６２によって、制御手段が構成される。
【００６４】
制御装置６２は、網制御装置５１およびモデム５２によって取得した発信者識別情報が、情報識別子判別テーブル部６４によって記憶される各情報提供用通信装置１１〜２０の識別番号のいずれかと一致するとき、一致した情報提供用通信装置１１〜２０の識別番号に応じた動作を実行する。具体的には、制御装置６２は、前記一致するとき、一致した情報提供用通信装置１１〜２０の識別番号に応じた情報を、スピーカ５３、表示装置５６および印刷装置５８のうち少なくとも１つによって、報知させる。
【００６５】
また制御装置６２は、網制御装置５１およびモデム５２によって取得した発信者識別情報が、情報識別子判別テーブル部６４によって記憶される各情報提供用通信装置１１〜２０の識別番号のいずれにも一致しないとき、第１状態となり、網制御装置５１およびモデム５２によって取得した発信者識別情報が、情報識別子判別テーブル部６４によって記憶される各情報提供用通信装置１１〜２０の識別番号のいずれかと一致するとき、第２状態となる。
【００６６】
第１状態では、呼の確立のための動作を実行可能である。この第１状態では、着信音が出力される。また第１状態では、ファクシミリ受信および留守録自動応答などを実行することができる。
【００６７】
第２状態では、呼の確立のための動作の実行を禁止する。この第２状態では、着信音を出力しない。また第２状態では、ファクシミリ受信および留守録自動応答などを実行しない。
【００６８】
図４は、情報識別子判別テーブル部６４に記憶される情報識別子判別テーブル７１の構成を模式的に示す図である。情報識別子判別テーブル７１は、登録番号を表す情報７２と、情報識別子を表す情報７３と、情報識別子に関連付けられる情報７４と、情報識別子に関連付けられる動作を表す情報７５とによって構成される。
【００６９】
本実施の形態では、登録番号は、情報提供サーバ２１が制御する各情報提供用通信装置１１〜２０の識別番号の上９桁に当たる「９８７  ６５４  ３２１」である。また情報識別子は、情報提供サーバ２１が制御する各情報提供用通信装置１１〜２０の識別番号の下１桁であり、「０」〜「９」ある。
【００７０】
情報識別子に関連付けられる動作とは、たとえば、情報識別子に関連付けられる情報７４を画像として、表示装置５６によって表示させることである。前記動作は、情報識別子に関連付けられる情報７４を画像として、印刷装置５８によって印刷することであってもよく、情報識別子に関連付けられる情報７４を可聴音として、スピーカ５３から出力することであってもよい。
【００７１】
図５は、情報提供サーバ２１による情報提供動作を説明するためのフローチャートである。情報提供動作は、提供すべき情報が発生すると、開始される。
【００７２】
情報提供動作を開始すると、ステップａ１では、提供すべき情報に応じて情報提供用通信装置１１〜２０を選択して、ステップａ２に進む。ステップａ２では、前記ステップａ１で選択した情報提供用通信装置１１〜２０に発呼開始を指示し、ステップａ３に進む。
【００７３】
ステップａ３では、発呼開始を指示してから所定時間を経過したか否かを判定する。所定時間は、たとえば５〜３０秒に選ばれる。所定時間を経過するまでステップａ３の動作を繰り返し実行し、所定時間を経過したと判定すると、ステップａ４に進む。ステップａ４では、前記ステップａ１で選択した情報提供用通信装置１１〜２０に発呼終了を指示し、情報提供動作を終了する。
【００７４】
図６は、情報取得用通信装置３〜６による着呼関連動作を説明するためのフローチャートである。この図６では、一例として、ファクシミリ装置３，４による着呼関連動作を示す。電話装置５，６による着呼関連動作は、ファクシミリ装置３，４による着呼関連動作に類似するので、ここでは説明を省略する。
【００７５】
ファクシミリ装置３，４の着呼関連動作は、公衆回線網２から発信者識別情報を取得すると、開始される。このとき、表示装置５６によって、発信者識別情報に基づく画像を表示させてもよい。
【００７６】
着信関連動作を開始すると、ステップｂ１では、取得した発信者識別情報に基づいて、発信者番号通知制限が設定されているか否かを判定する。発信者番号通知制限が設定されていると判定すると、ステップｂ１６に進む。発信者番号通知制限が設定されていないと判定すると、ステップｂ２に進む。
【００７７】
ステップｂ１６では、発信者番号通知制限が設定されていても、ファクシミリ受信を認めるか否かを判定する。ファクシミリ受信を認めるか否かは、汎用メモリ部６３の設定情報を参照して判定する。発信者番号通知制限の設定されていてもファクシミリ受信を実行すると設定されている場合は、ファクシミリ受信を認めると判定する。発信者番号通知制限が設定されているときはファクシミリ受信を実行しないと設定されている場合は、ファクシミリ受信を認めないと判定する。認めると判定すると、ステップｂ４に進む。認めないと判定すると、回線を捕捉せずに、着呼関連動作を終了する。
【００７８】
ステップｂ２では、取得した発信者識別情報と、ブラックリストを示す情報とに基づいて、発信者番号が、ブラックリストにある識別番号のいずれかと一致する否かを判定する。発信者番号が、ブラックリストにある識別番号のいずれかと一致すると判定すると、ステップｂ３に進む。発信者番号が、ブラックリストにある識別番号のいずれにも一致しないと判定すると、回線を捕捉せずに、着呼関連動作を終了する。
【００７９】
ステップｂ３では、取得した発信者識別情報と、情報識別子判別テーブルとに基づいて、発信者番号の上９桁と、登録番号とが完全に一致するか否かを判定する。一致すると判定すると、ステップｂ１２に進む。一致しないと判定すると、ステップｂ４に進む。
ステップｂ１２では、呼出信号が継続しているか否かを判定する。このときは、スピーカ５３を鳴動させず、かつ、回線を捕捉しない。呼出信号が途絶えるまでステップｂ１２の動作を繰り返し実行し、呼出信号が途絶えたと判定すると、ステップｂ１３に進む。ステップｂ１３では、待機状態に移行し、ステップｂ１４に進む。ステップｂ１４では、取得した発信者識別情報と、情報識別子判別テーブルとに基づいて、発信者番号の下１桁と一致する情報識別子に関連付けられる動作を実行し、着呼関連動作を終了する。
【００８０】
ステップｂ４では、ファクシミリ受信が可能（ＲＣＶ  Ｒｅａｄｙ；Receive Ready）であるか否かを判定する。このステップｂ４では、たとえば、記録紙は搭載されているか、トナーは十分に充填されているか、メモリ装置６１の空き容量は確保されているかなどがチェックされる。ファクシミリ受信が可能であると判定すると、ステップｂ５に進み、ファクシミリ受信が不可能であると判定すると、ステップｂ９に進む。
【００８１】
ステップｂ５では、回線を捕捉して、ステップｂ６に進む。ステップｂ６では、ＩＴＵ−Ｔ勧告に基づいたファクシミリ通信フェーズのうち「フェーズＢ」〜「フェーズＤ」によって構成されるルーチン、いわゆるファクシミリ受信ルーチンに入り、ファクシミリ受信を実行し、ステップｂ７に進む。ステップｂ７では、回線を切断して、着呼関連動作を終了する。回線の切断は、正常にファクシミリ受信を終了したときに実行してもよく、あるいはエラーの発生などでファクシミリ受信を異常終了したときに実行してもよい。
【００８２】
なお、ファクシミリ通信フェーズは、「フェーズＡ」〜「フェーズＥ」によって構成される。「フェーズＡ」では、呼出信号および応答信号により呼設定が行われる。「フェーズＢ」では、呼設定後のファクシミリ送受信のための準備、同期状態の確認などの前処理が行われる。「フェーズＣ」では、送信側のファクシミリ装置からファクシミリデータの送信が行われる。「フェーズＤ」では、受信側のファクシミリ装置でのファクシミリデータの受信が終了したことが確認される。「フェーズＥ」では、呼の復旧、すなわち回線の切断が行われる。
【００８３】
ステップｂ９では、呼出信号に連動して、スピーカ５３を鳴動させ、ステップｂ１０に進む。ステップｂ１０では、呼出信号が継続しているか否かを判定する。このときは、回線を捕捉しない。呼出信号が継続していると判定すると、ステップｂ９に戻る。呼出信号が継続していない、すなわち呼出信号が途絶えたと判定すると、ステップｂ１１に進む。ステップｂ１１では、待機状態に移行し、着呼関連動作を終了する。
【００８４】
本実施の形態によれば、情報取得用通信装置３〜６および複数の情報提供用通信装置１１〜２０が、公衆回線網２に接続され、この公衆回線網２を介して相互に通信可能に設けられる。公衆回線網２の交換機３３は、図２に示すように、発呼後で、かつ、この発呼に対する応答によって呼が確立される前に発信者識別情報を送出する。
【００８５】
情報提供サーバ２１は、提供すべき情報に応じて情報提供用通信装置１１〜２０を選択し、選択した情報提供用通信装置１１〜２０によって、情報取得用通信装置３〜６に対して発呼させる。発呼を受けた公衆回線網２は、その発呼について呼が確立される前に、発信者識別情報を送出する。この発信者識別情報を、情報取得用通信装置３〜６によって取得する。
【００８６】
したがって呼の確立がなくても、前記提供すべき情報を、情報取得用通信装置３〜６によって把握することができる。換言すれば、呼の確立がなくても、前記提供すべき情報を、情報提供用通信装置１１〜２０から情報取得用通信装置３〜６に伝達することができる。
【００８７】
このように呼の確立がなくても、前記提供すべき情報を伝達することができるので、前記提供すべき情報の伝達に要する時間を短縮することができる。呼の確立が必要な送信では、送信に時間がかかるので、前記提供すべき情報を、多数の情報取得用通信装置に順次、送信する必要がある場合、送信の順番が後になるほど、送信の遅れが顕著になってしまう。これに対して、本実施の形態では、送信に要する時間が短縮されるので、送信の遅れを軽減することができる。
【００８８】
また呼の確立がなくても、前記提供すべき情報を伝達することができるので、結果として、通信料なしで、前記提供すべき情報を伝達することができ、情報提供者および情報取得者の双方にとって経済的である。
【００８９】
通信料が発生する場合、通信料は、情報提供者が負担することになる。情報取得者は、情報提供サービス料などを、情報提供者に対して支払うことになる。これに対して、本実施の形態では、通信料がかからないので、情報提供者および情報取得者の双方の負担を軽減することができる。
【００９０】
このような本実施の形態は、発呼後で、かつ、この発呼に対する応答によって呼が確立される前に発信者識別情報を送出するという公衆回線網２の発信者番号通知サービスを利用して実現される。公衆回線網２は、既存の通信網であり、かつ、発信者番号通知サービスは既存である。したがって新たな通信網を構築する必要がなく、設備投資などに要するコストを抑えることができる。
【００９１】
また本実施の形態によれば、図３、図４および図６に示すような情報取得用通信装置３〜６が通信システム１に用いられることによって、前記提供すべき情報に応じた動作を、制御装置６２によって実行することができる。したがって利便性を向上させることができる。具体的には、前記提供すべき情報に応じた情報を、スピーカ５３、表示装置５６および印刷装置５８のいずれか１つによって、報知することができる。したがって情報取得者に情報を提供するためのシステムとして好適に用いることができる。
【００９２】
また本実施の形態によれば、図６のステップｂ３で一致すると判定すると、ステップｂ４以降に示すような第１状態となり、図６のステップｂ３で一致しないと判定すると、ステップｂ１２以降に示すような第２状態となる。
【００９３】
第１状態では、呼の確立のための動作を実行可能である。このときは、着信音が出力される。またファクシミリ受信および留守録自動応答などを実行することができる。このように呼の確立が可能であり、呼を確立して通信することができる。したがって情報取得用通信装置３〜４は、前記提供すべき情報の取得以外に、呼を確立したうえでの通信にも用いることができ、汎用性を向上させることができる。
【００９４】
第２状態では、呼の確立のための動作の実行を禁止する。このときは、着信音を出力しないので、オフフックされてしまうという不都合が防がれる。またファクシミリ受信および留守録自動応答などを実行しない。したがって不所望な呼の確立が防がれる。したがって通信料の発生を防ぐことができる。
【００９５】
以上のような本実施の形態の通信システム１は、たとえば、天気予報情報を伝達する通信システム１として好適に用いられる。以下、本実施の形態の通信システム１を、天気予報情報を伝達する通信システム１に適用した場合の一例を説明する。
【００９６】
情報取得用通信装置３〜６では、文字列「今日は晴れ」を表示するという動作が、情報識別子「０」に関連付けられ、文字列「今日はくもり」を表示するという動作が、情報識別子「１」に関連付けられ、文字列「今日は雨」を表示するという動作が、情報識別子「２」に関連付けられている。
【００９７】
情報提供サーバ２１は、天気予報情報、たとえば今日の天気の予報についての情報を取得する。この情報が、提供すべき情報である。情報提供サーバ２１は、予報が「晴れ」であるとき、第１の情報提供用通信装置によって、情報取得用通信装置３〜６に対して発呼させ、予報が「くもり」であるとき、第２の情報提供用通信装置によって、情報取得用通信装置３〜６に対して発呼させ、予報が「雨」であるとき、第３の情報提供用通信装置によって、情報取得用通信装置３〜６に対して発呼させる。
【００９８】
図７は、２つの情報提供サーバがある場合に、情報識別子判別テーブル部６４に記憶される２つの情報識別子判別テーブル８１，８２の構成を模式的に示す図である。情報識別子判別テーブルは、情報提供サーバ毎に登録される。
【００９９】
第１の情報識別子判別テーブル８１は、登録番号を表す情報８３と、情報識別子を表す情報８４と、情報識別子に関連付けられる情報８５と、情報識別子に関連付けられる動作を表す情報８６とによって構成される。この第１の情報識別子判別テーブル８１では、登録番号は、第１の情報提供サーバが制御する各情報提供用通信装置の識別番号の上９桁に当たる「９８７  ６５４  ３２１」である。また情報識別子は、第１の情報提供サーバが制御する各情報提供用通信装置の識別番号の下１桁であり、「０」〜「９」である。
【０１００】
第２の情報識別子判別テーブル８２は、登録番号を表す情報８７と、情報識別子を表す情報８８と、情報識別子に関連付けられる情報８９と、情報識別子に関連付けられる動作を表す情報９０とによって構成される。この第２の情報識別子判別テーブル８２では、登録番号は、第２の情報提供サーバが制御する各情報提供用通信装置の識別番号の上９桁に当たる「８７６  ５４３  ２１０」である。また情報識別子は、第２の情報提供サーバが制御する各情報提供用通信装置の識別番号の下１桁であり、「０」〜「９」である。
【０１０１】
前述の実施の形態は、本発明の例示に過ぎず、本発明の範囲内において構成を変更することができる。前述の実施の形態では、通信網として公衆回線網２を利用するけれども、公衆回線網２に代えて、携帯電話網を利用してもよい。この場合、情報取得用通信装置および情報提供用通信装置は、携帯型の通信装置、たとえばＰＤＣ（Personal Digital
Cellular）およびＰＨＳ(Personal Handy phone System)によって実現される。通信網は、公衆回線網２および携帯電話網によって構成されてもよい。
【０１０２】
前記図２では、交換機３３は、着呼側装置３２から一次応答信号３９を受信すると、発信者識別情報４０を着呼側装置３２に送信するけれども、発信者識別情報の送信のタイミングは、これに限定されない。たとえば、発信者識別情報は、発呼について、最初の呼出信号とこの呼出信号の次の呼出信号との間に挿入されて、送信されてもよい。
【０１０３】
各情報提供用通信装置１１〜２０の識別番号の総桁数をＸとしたとき、上（Ｘ−ｎ）桁が同一であり、下ｎ桁が異なる。この場合、上（Ｘ−ｎ）桁を登録番号とし、下ｎ桁を情報識別子とする。前述の実施の形態は、Ｘ＝１０、かつ、ｎ＝１の場合であるけれども、これに限定されない。ｎ＝１の場合、１０種類の情報の伝達が可能であり、ｎ＝２の場合、１００種類の情報の伝達が可能である。このようにｎの値が大きいほど伝達可能な情報の種類が多くなる。
【０１０４】
情報識別子に関連付けられる動作は、情報識別子に関連付けられる情報７４を、汎用メモリ部６３に記憶させることであってもよい。この場合、情報取得者が入力装置５７を操作することによって、汎用メモリ部６３に記憶された前記情報７４が表示装置５６に表示されるようにしてもよい。
【図面の簡単な説明】
【０１０５】
【図１】本発明の実施の一形態の通信システム１の構成を模式的に示す図である。
【図２】呼が確立されるまでの流れの一例を説明するためのシーケンス図である。
【図３】ファクシミリ装置３，４の構成を示すブロック図である。
【図４】情報識別子判別テーブル部６４に記憶される情報識別子判別テーブル７１の構成を模式的に示す図である。
【図５】情報提供サーバ２１による情報提供動作を説明するためのフローチャートである。
【図６】情報取得用通信装置３〜６による着呼関連動作を説明するためのフローチャートである。
【図７】２つの情報提供サーバがある場合に、情報識別子判別テーブル部６４に記憶される２つの情報識別子判別テーブル８１，８２の構成を模式的に示す図である。
【符号の説明】
【０１０６】
１  通信システム
２  公衆回線網
３〜６  情報取得用通信装置
３，４  ファクシミリ装置
５，６  電話装置
１１〜２０  情報提供用通信装置
２１  情報提供サーバ
５１  網制御装置
５２  モデム
５３  スピーカ
５４  送受話器
５５  スピーチ回路
５６  表示装置
５７  入力装置
５８  印刷装置
５９  画像読取装置
６０  ＲＯＭ
６１  メモリ装置
６２  制御装置
６４  情報識別子判別テーブル部
【図１】
2006352452.tif 000004
【図２】
2006352452.tif 000005
【図３】
2006352452.tif 000006
【図４】
2006352452.tif 000007
【図５】
2006352452.tif 000008
【図６】
2006352452.tif 000009
【図７】
2006352452.tif 000010